(57)【要約】【課題】ランプの発光管が所定の配置となるように調整して、ランプの設置が可能であり、一定の配光を得ることができる照明器具を提案することを目的とする。【解決手段】ランプ２９の口金部を螺合して固定するソケット１００と、このソケット１００をソケット１００の中心軸を中心に所定の角度回転させて固定するための円弧状の開口１０２が形成されたソケット設置板１０１とから構成されるランプ回転設置部２２を備え、開口１０２に沿ってソケット１００を回転させて、ランプ２９内の発光管が最適な位置になるように調整して固定することができる。これによって、ランプ２９の口金部の固定停止位置が異なる場合であっても、最適な配光を得ることができる。【選択図】図２
2006147307.tif 000002
【特許請求の範囲】
【請求項１】
少なくとも一面に開口が形成された照明器具本体と；
前記照明器具本体内に設けられ、前記開口から光を出射する位置に対応して、光源ランプを前記光源ランプの軸を中心に所定の角度回転させて設置可能なランプ回転設置部と；
前記照明器具本体内に収納され、前記光源ランプからの出射光を前記照明器具本体の開口に向けて反射する反射体と；
を具備することを特徴とする照明器具。
【請求項２】
前記ランプ回転設置部が、
前記光源ランプの口金部を螺合して固定するソケットと；
前記ソケットを前記ソケットの中心軸を中心に所定の角度回転させて固定可能なソケット設置板と；
を具備することを特徴とする請求項１記載の照明器具。
【請求項３】
前記ランプ回転設置部が、
前記光源ランプの口金部を螺挿して固定するランプアダプタと；
前記ランプダプタを前記ランプダプタの中心軸を中心に所定の角度回転させて固定可能なソケットと；
前記ソケットを固定するソケット設置板と；
を具備することを特徴とする請求項１記載の照明器具。
【請求項４】
前記ランプ回転設置部が、
前記光源ランプの口金部を螺挿して固定するランプアダプタと；
一端側に、前記ランプダプタを前記ランプダプタの中心軸を中心に所定の角度回転させて固定可能あり、他端側に口金部を有する中間アダプタと；
前記中間アダプタの口金部と螺合して前記中間アダプタを固定するソケットと；
前記ソケットを固定するソケット設置板と；
を具備することを特徴とする請求項１記載の照明器具。
【請求項５】
前記光源ランプが、外管内に少なくとも２本の発光管を備えてなることを特徴とする請求項１乃至４のいずれか１項記載の照明器具。
【発明の詳細な説明】
【技術分野】
【０００１】
本発明は、道路およびトンネルなどに使用される照明器具に関する。
【背景技術】
【０００２】
従来の道路照明器具には、１本の外管内に２本の発光管を封装した高圧放電ランプなどが使用されている。この高圧放電ランプにおいて、２本の発光管は、例えば、外管内にＶ字状、Ｘ字状または平行などに配置されている（例えば、特許文献１参照。）。
【０００３】
この高圧放電ランプは、エジソンベースのスクリュー構造の口金を有し、道路照明器具のソケットにその口金が螺合され固定される（例えば、特許文献２参照。）。このような固定構造を有する道路照明器具において、螺合による固定停止位置は、使用する高圧放電ランプの種類などによって異なる。そのため、上記したような２本の発光管を封装した高圧放電ランプなどを使用する場合に、使用する高圧放電ランプの種類によって、例えば、反射鏡や光透過板などに対する２本の発光管の相対位置が異なって固定されることがあった。
【特許文献１】特開平９−１６７５９７号公報
【特許文献２】特開２０００−３２２９０３号公報
【発明の開示】
【発明が解決しようとする課題】
【０００４】
上記したように、従来の道路照明器具では、使用する高圧放電ランプの種類などによって、反射鏡や光透過板などに対する２本の発光管の相対位置が異なって固定されることがあるため、常に一定の配光を得ることが困難であった。また、使用する高圧放電ランプの種類によっては、この直下照度が２倍程度異なることもある。そのため、１本の外管内に２本の発光管を封装したエジソンベースの口金を備える道路照明器具において、ランプの種類などによらず、反射鏡や光透過板などに対して、２本の発光管の位置を所定の位置に配置可能な道路照明器具が求められている。
【０００５】
そこで、本発明は、上記課題を解決するためになされたものであり、ランプの発光管が所定の配置となるように調整して、ランプの設置が可能であり、一定の配光を得ることができる照明器具を提案することを目的とする。
【課題を解決するための手段】
【０００６】
請求項１記載の照明器具は、少なくとも一面に開口が形成された照明器具本体と；前記照明器具本体内に設けられ、前記開口から光を出射する位置に対応して、光源ランプを前記光源ランプの軸を中心に所定の角度回転させて設置可能なランプ回転設置部と；前記照明器具本体内に収納され、前記光源ランプからの出射光を前記照明器具本体の開口に向けて反射する反射体と；前記照明器具本体の開口を液密的に封止し、前記光源ランプからの出射光を透過する光透過板と；を具備することを特徴とする。
【０００７】
請求項２記載の照明器具は、請求項１記載の照明器具における前記ランプ回転設置部が、前記光源ランプの口金部を螺合して固定するソケットと；前記ソケットを前記ソケットの中心軸を中心に所定の角度回転させて固定可能なソケット設置板と；を具備することを特徴とする。
【０００８】
請求項３記載の照明器具は、請求項１記載の照明器具における前記ランプ回転設置部が、前記光源ランプの口金部を螺挿して固定するランプアダプタと；前記ランプダプタを前記ランプダプタの中心軸を中心に所定の角度回転させて固定可能なソケットと；前記ソケットを固定するソケット設置板と；を具備することを特徴とする。
【０００９】
請求項４記載の照明器具は、請求項１記載の照明器具における前記ランプ回転設置部が、前記光源ランプの口金部を螺挿して固定するランプアダプタと；一端側に、前記ランプダプタを前記ランプダプタの中心軸を中心に所定の角度回転させて固定可能あり、他端側に口金部を有する中間アダプタと；前記中間アダプタの口金部と螺合して前記中間アダプタを固定するソケットと；前記ソケットを固定するソケット設置板と；を具備することを特徴とする。
【００１０】
請求項５記載の照明器具は、請求項１乃至４のいずれか１項記載の照明器具における前記光源ランプが、外管内に少なくとも２本の発光管を備えてなることを特徴とする。
【発明の効果】
【００１１】
請求項１〜５記載の発明によれば、ランプ回転設置部を備えることで、ランプをランプの中心軸を中心に所定の角度回転させて設置可能となるため、ランプ内の発光管が最適な位置になるように調整して固定することができ、一定の配光を得ることができる。
【発明を実施するための最良の形態】
【００１２】
以下、本発明の実施の形態について図面を参照して説明する。なお、以下に示す実施の形態において、構成が同一部分には同一符号を付して、重複する説明を簡略または省略する。
【００１３】
（第１の実施の形態）
本発明の第１の実施の形態の照明器具について図１〜６を参照して説明する。
【００１４】
まず、本発明の第１の実施の形態の照明器具を道路灯１０に適用した場合について説明する。
【００１５】
図１は、本発明に係る照明器具を適用した道路灯１０の断面図である。
図１に示された道路灯１０は、直線形ポール用の道路灯であり、この道路灯１０は、灯体下部２０と、灯体上部２１と、ランプ回転設置部２２と、光透過板２３と、反射体２４とから主に構成されている。
【００１６】
灯体下部２０は、例えば、アルミダイキャストなどで形成された一端が開放された筐体である。また、灯体下部２０には、その下面である、開放端面に対向する閉端面の一部が楕円形に貫通され、光透過板２３が設置される光透過用開口２６が形成されている。この光透過用開口２６の縁部と光透過板２３の縁部との間には、ゴム製のパッキンが設けられ、双方の縁部が密に接合されている。光透過板２３は、例えば、ガラスや樹脂などの透明な平板で形成される。
【００１７】
さらに、灯体下部２０内の部品収納空間２７における一方の側には、ポール受け２８が設けられ、そのポール受け２８に直線形ポール２５の上端部を挿入して、直線形ポール２５の上に灯体下部２０が設置される。また、部品収納空間２７内には、ランプ２９を備えたランプ回転設置部２２や、このランプ回転設置部２２と配線を介して接続された端子台（図示しない）が設けられている。
【００１８】
灯体上部２１は、灯体下部２０と同様に、例えば、アルミダイキャストなどで形成された一端が開放された筐体である。この灯体下部１０の一方の端部は、灯体上部２１とヒンジ部３０によって接続されている。また、灯体下部１０の他方の端部には、開閉金具３１が設けられ、それに対応して灯体上部２１の端部に設けられた係止部３２にその開閉金具３１が係止されている。
【００１９】
また、灯体上部２１には、反射体２４が、その凹面側を灯体下部１０側に向けて設置されている。さらに、灯体上部２１の灯体下部２０と接面する位置には、パッキンが設置され、灯体上部２１と灯体下部２０とが閉じた状態において、ランプ２９、ランプ回転設置部２２および反射体２４に対して防水を行うようになっている。
【００２０】
ランプ２９には、例えば、外管内に少なくとも２本の発光管を備えてなる放電ランプなどが使用される。その放電ランプとして、例えば、２本の発光管をＶ字状、Ｘ字状または平行などに配置した仕様の高圧放電ランプなどが用いられる。
【００２１】
次に、第１の実施の形態の照明器具におけるランプ回転設置部２２の構成について、図２および３を参照して説明する。
【００２２】
図２には、ランプ回転設置部２２の背面図、図３には、ランプ回転設置部２２の側面図が示されている。
【００２３】
ランプ回転設置部２２は、ランプ２９の発光管が所定の配置となるように調整して、ランプ２９の設置を可能とするものである。このランプ回転設置部２２は、ランプ２９の口金部を螺合して固定するソケット１００と、このソケット１００をソケット１００の中心軸を中心に所定の角度回転させて固定するための円弧状の開口１０２が形成されたソケット設置板１０１とから構成されている。
【００２４】
ソケット設置板１０１は、例えば、Ｌ字状に折り曲げられた平板で構成され、折り曲げられた一方の側が灯体下部２０に固定される。また、図２に示すように、ソケット１００をソケット１００の中心軸を中心に所定の角度回転させて固定するために、ソケット設置板１０１の折り曲げられた他方の側には、２つの円弧状の開口１０２が形成される。この２つの開口１０２は、それぞれ対称に形成され、この円弧状の開口１０２の両端部と、この開口１０２の中心とを結んで形成される中心角度は、広い範囲で回転可能とするため、できる限り１８０度に近いことが好ましい。
【００２５】
ソケット設置板１０１に接触する側のソケット１００の端面には、例えばねじ１０３などによって、開口１０２を介してソケット設置板１０１にソケット１００を固定するための雌ねじが螺刻されている。そして、図２に示すように、ねじ１０３を開口１０２を介してソケット１００側に貫通させて、ソケット１００の雌ねじと螺合し、ねじ頭部とソケット１００とでソケット設置板１０１を挟んで、ソケット設置板１０１にソケット１００を固定する。この固定の際に、開口１０２に沿ってソケット１００を回転させ、ランプ２９内の発光管が最適な位置になるように調整して固定する。
【００２６】
なお、ソケット１００側に雌ねじを螺刻する以外にも、例えば、ソケット設置板１０１に接触する側のソケット１００に、雄ねじを突起させて固着し、開口１０２を貫通したその雄ねじにナットを螺合し、ナットとソケット１００とでソケット設置板１０１を挟んで、ソケット設置板１０１にソケット１００を固定する構成を採用してもよい。
【００２７】
上記した第１の実施の形態の照明器具におけるランプ回転設置部２２の構成は、次に示すトンネル用照明灯５０にも適用することができ、そのトンネル用照明灯５０の一例を図４を参照して説明する。
【００２８】
図４は、本発明の第１の実施の形態の照明器具を適用したトンネル用照明灯５０の正面図である。また、図５は、図４のＡ−Ａ断面図である。
【００２９】
図４および５に示されたトンネル用照明灯５０は、器具本体５１と、ランプ回転設置部２２と、光透過板５５と、反射体５８とから主に構成されている。
【００３０】
器具本体５１は、密閉形に構成されており、水の直接噴流を受けても有害な影響が出ないように構成されており、取付孔が開口された複数の取付部５２を備えるシャーシ５３と、このシャーシ５３の開口端にパッキンを介して装着される透過光用開口を有する蓋体５４とから主に構成されている。また、器具本体５１は、取付部５２の取付孔を利用してトンネル内壁などに設けられたステーなどの取り付け装置にネジ止めによって固定される。
【００３１】
蓋体５４は、ヒンジ５６によりシャーシ５３に開閉可能に取り付けられ、シャーシ５３のヒンジ５６が設けられた反対側にラッチ５７を設け、このラッチ５７によって閉塞された状態が保持される。このとき、蓋体５４の閉塞縁は、パッキンにより水気や粉塵が浸入しないような処理が施されている。また、蓋体５４の透過光用開口には、例えば、透明なガラス板などで構成される光透過板５５が水密かつ気密に取り付けられている。
【００３２】
また、器具本体５１内には、反射体５８が配設されている。さらに、器具本体５１内の反射体５８と光透過板５５との間には、ランプ２９がランプ回転設置部２２に保持されて配設されている。なお、ランプ回転設置部２２の構造は、上記した道路灯１０における構造と同じである。
【００３３】
上記したように、第１の実施の形態の照明器具によれば、ランプ回転設置部２２を備え、開口１０２に沿ってソケット１００を回転させて、ランプ２９内の発光管が最適な位置になるように調整して固定することができる。これによって、ランプ２９の口金部の固定停止位置が異なる場合であっても、最適な配光を得ることができる。
【００３４】
ここで、使用するランプ２９からの出射光は、拡散性を備えて放出させることが好ましいが、例えば、図３に示すような道路の照明に用いるＴ管タイプのランプでは、内部温度の上昇を考慮すると、ランプの外管に、例えばフロスト処理をして拡散性を向上させることは困難である。そこで、図６に示すように、ランプ２９の周囲に空気層１１０を介して拡散管１１１を備え、ランプ２９から出射された光の拡散性の向上を図ってもよい。
【００３５】
この拡散管１１１は、ランプ２９出射した光を透過するするとともに、その光を拡散して外部に放出するものである。この拡散管１１１として、具体的には、例えば、内壁面をシリカ、フッ素または蛍光体などでコーティング処理したガラス管や、外壁面をサンドブラスト処理したガラス管などが挙げられる。ここで、拡散管１１１の内面にコーティング処理を施すのは、例えば、外的な接触によるコーティング材のはく離を抑制するためである。なお、拡散管１１１の構成材料や表面の処理方法は、これらに限られるものではなく、各種公知の構成材料や表面の処理方法を採用することが可能である。また、拡散管１１１の長さは、ランプ２９出射した光を拡散管１１１を介して外部に放出するために、少なくともランプ２９の周囲を覆う長さに設定される。
【００３６】
なお、この拡散管１１１を設ける技術は、図６に示すようなＴ管タイプのランプを使用した場合に限らず、例えば、ＢＴ管などを使用した場合にも応用することができる。また、この技術をＢＴ管に応用する場合、Ｔ管の場合と異なり、ランプの外管に、例えばフロスト処理をしても内部温度の上昇が問題とならないので、空気層１１０を設けずに、ＢＴ管の外管に直接上記した各種コーティング処理やサンドブラスト処理をするこもできる。
【００３７】
この拡散管１１１を備えることで、使用するランプ２９から出射された光の拡散性を向上させることができ、さらに最適な配光を得ることができる。
【００３８】
（実施例）
次に、外管内に２本の発光管を備え、２本の発光管をＶ字状に配置した放電ランプ（東芝ライテック社製  ツウィンネオルックス  ＮＨＴ３６０ＴＷ．Ｌ）を使用して、光電管の配置位置と光度値の関係を調べ、２本の発光管の配置を最適な位置に設定できる本発明の照明器具が優れている理由を説明する。
【００３９】
図７は、２本の発光管１５０ａ、１５０ｂの配置位置の一例を示す断面図である。
図７に示すように、２本の発光管１５０ａ、１５０ｂを有するランプ１５１の上方および側方には反射板１５２が設置されている。そして、図７に示された２本の発光管１５０ａ、１５０ｂの配置位置、つまり、２本の発光管１５０ａ、１５０ｂのそれぞれが、照射面に対して同距離に対向するように配置された位置を回転角度０度（θ＝０度）とする。ランプ１５１の中心を回転軸として回転させ、θが、０、４５、９０、１３５、１８０度における光度値を測定した。ここで、θが１８０度の場合には、図７における発光管１５０ａと発光管１５０ｂとの位置が反転した状態となる。
【００４０】
なお、光度値の測定は、２本の発光管１５０ａ、１５０ｂのうち、発光管１５０ａのみを点灯させた状態で行い、光度値の測定位置は、θが９０度となる方向および１１０度となる方向の所定の位置で行った。
【００４１】
表１に測定結果を示す。なお、表１に示された器具効率とは、ランプ１５１を照明器具に設置し、その照明器具から出る総光束を、ランプ１５１の定格光束で除した値である。
【００４２】
表１に示された測定結果から、２本の発光管１５０ａ、１５０ｂの配置位置によって、器具効率および光度値が大きく異なることがわかる。例えば、器具効率は、θが４５度や１３５度の場合には６２％前後と低い値を示しているが、θが０度や１８０度の場合には８０％前後と高い値を示している。また、光度値については、θが９０度の場合が低い値を示し、θが０度や１８０度の場合に高い値を示している。
【００４３】
上記したように、２本の発光管１５０ａ、１５０ｂの配置位置によって、器具効率および光度値が大きく異なることが明らかとなった。また、本発明の照明器具を用いることで、２本の発光管１５０ａ、１５０ｂの配置を最適な位置に設置することができるので、ランプ１５１の性能を最大限有効に利用することができることが明らかになった。
【００４４】
【表１】
2006147307.tif 000003
【００４５】
（第２の実施の形態）
本発明の第２の実施の形態の照明器具について図８を参照して説明する。
【００４６】
ここで、本発明に係る照明器具は、第１の実施の形態の照明器具と同様に、例えば、道路灯１０およびトンネル用照明灯５０に適用することができ、ランプ２９を保持するランプ回転設置部の構成を除いては同一であるので、以下ではランプ回転設置部２００の構成について説明する。
【００４７】
図８には、第２の実施の形態の照明器具におけるランプ回転設置部２００の断面図が示されている。
【００４８】
ランプ回転設置部２００は、ランプ２９の口金部を螺合して固定するランプアダプタ２０１と、このランプアダプタ２０１をランプアダプタ２０１の中心軸を中心に所定の角度回転させて固定可能なソケット２０２と、このソケット２０２を固定するソケット設置板２０３とから構成されている。
【００４９】
ランプアダプタ２０１は、断面が凸形をした筒体で、小径部２０１ａと大径部２０１ｂで構成され、その中心を貫通してランプ２９の口金部を螺合するねじ溝が形成されている。図８に示すように、ランプアダプタ２０１に装着されたランプ２９の口金部の端部は、ランプアダプタ２０１の小径部２０１ａから突出している。また、ランプアダプタ２０１の小径部２０１ａの外周面に、ソケット２０２との固定を確実にするため、ねじの端部が挿入できる程度の溝部２０４を設けてもよい。このランプアダプタ２０１の小径部２０１ａの外径は、ソケット２０２の内径よりも若干小さくし、ソケット２０２内に容易にランプアダプタ２０１の小径部２０１ａを挿入することができるようになっている。
【００５０】
ソケット２０２は、一端側がソケット設置板２０３に固定されている。また、他端側には、ランプアダプタ２０１の小径部２０１ａを挿入する開口部が形成され、その開口部のソケット設置板２０３側の閉端部には、ランプ２９のアイレット端子と接する端子２０５と、ランプ２９のシェル部と接する端子２０６が設けられている。
【００５１】
また、ソケット２０２の外壁には、挿入されるランプアダプタ２０１の小径部２０１ａの溝部２０４に対応させて、貫通して螺刻されたねじ孔２０７が設けられている。このねじ孔２０７に、ねじ２０８を螺合し、そのねじ２０８の端部をランプアダプタ２０１の小径部２０１ａの溝部２０４に挿入し、ランプアダプタ２０１の小径部２０１ａの外側面を押圧することで、ソケット２０２にランプアダプタ２０１を固定することができる。また、ソケット２０２にランプアダプタ２０１を挿入する際に、ランプアダプタ２０１の小径部２０１ａと大径部２０１ｂとの間に形成される段部２０９が、ソケット２０２の開口部の端面に当接するため、ソケット２０２の軸方向におけるランプアダプタ２０１の固定位置を一定にすることができる。この固定の際に、ランプアダプタ２０１を回転させ、ランプ２９内の発光管が最適な位置になるように調整して固定する。この場合、ランプアダプタ２０１は、３６０度回転させることが可能である。
【００５２】
なお、ランプアダプタ２０１の小径部２０１ａに溝部２０４を形成しない場合には、ねじ２０８の端面で小径部２０１ａの外側面を押圧することで、ソケット２０２にランプアダプタ２０１を固定することができる。
【００５３】
ソケット設置板１０２は、例えば、Ｌ字状に折り曲げられた平板で構成され、折り曲げられた一方の側が、例えば照明器具の器具本体を形成する筐体などに固定され、他方の側には、ソケット２０２が固定される。
【００５４】
上記したように、第２の実施の形態の照明器具によれば、ランプ回転設置部２００を備え、ランプアダプタ２０１を回転させて、ランプ２９内の発光管が最適な位置になるように調整して固定することができる。これによって、ランプ２９の口金部の固定停止位置が異なる場合であっても、最適な配光を得ることができる。
【００５５】
（第３の実施の形態）
本発明の第３の実施の形態の照明器具について図９を参照して説明する。
【００５６】
ここで、本発明に係る照明器具は、第１の実施の形態の照明器具と同様に、例えば、道路灯１０およびトンネル用照明灯５０に適用することができ、ランプ２９を保持するランプ回転設置部の構成を除いては同一であるので、以下ではランプ回転設置部３００の構成について説明する。
【００５７】
図９には、第３の実施の形態の照明器具におけるランプ回転設置部３００の断面図が示されている。
【００５８】
ランプ回転設置部３００は、ランプ２９の口金部を螺合して固定するランプアダプタ３０１と、一端側にこのランプアダプタ３０１をランプアダプタ３０１の中心軸を中心に所定の角度回転させて固定可能であり、他端側に口金部を有する中間アダプタ３０２と、この中間アダプタ３０２の口金部を螺合して固定するソケット３０３と、このソケット３０３を固定するソケット設置板３０４とから構成されている。
【００５９】
ランプアダプタ３０１は、断面が凸形をした筒体で、小径部３０１ａと大径部３０１ｂで構成され、その中心を貫通してランプ２９の口金部を螺合するねじ溝が形成されている。図９に示すように、ランプアダプタ３０１に装着されたランプ２９の口金部の端部は、ランプアダプタ３０１の小径部３０１ａから突出している。また、ランプアダプタ３０１の小径部３０１ａの外周面に、中間アダプタ３０２との固定を確実にするため、ねじの端部が挿入できる程度の溝部３０５を設けてもよい。このランプアダプタ３０１の小径部３０１ａの外径は、中間アダプタ３０２の内径よりも若干小さくし、中間アダプタ３０２内に容易にランプアダプタ３０１の小径部３０１ａを挿入することができるようになっている。
【００６０】
中間アダプタ３０２は、一端側にランプアダプタ３０１の小径部３０１ａを挿入する開口部３０２ａが形成され、その開口部３０２ａの閉端部には、ランプ２９のアイレット端子と接する端子３０６と、ランプ２９のシェル部と接する端子３０７が設けられている。また、中間アダプタ３０２の他端側には、口金部３０２ｂが形成されている。
【００６１】
また、中間アダプタ３０２の外壁には、挿入されるランプアダプタ３０１の小径部３０１ａの溝部３０５に対応させて、貫通して螺刻されたねじ孔３０８が設けられている。このねじ孔３０８に、ねじ３０９を螺合し、そのねじ３０９の端部をランプアダプタ３０１の小径部３０１ａの溝部３０５に挿入し、ランプアダプタ３０１の小径部３０１ａの外側面を押圧することで、中間アダプタ３０２の開口部３０２ａにランプアダプタ３０１を固定することができる。また、中間アダプタ３０２の開口部３０２ａにランプアダプタ３０１を挿入する際に、ランプアダプタ３０１の小径部３０１ａと大径部３０１ｂとの間に形成される段部３１０が、中間アダプタ３０２の開口部３０２ａの端面に当接するため、中間アダプタ３０２の軸方向におけるランプアダプタ３０１の固定位置を一定にすることができる。この中間アダプタ３０２へのランプアダプタ３０１の固定は、次に説明するソケット３０３へ中間アダプタ３０２を装着後行われ、この中間アダプタ３０２へのランプアダプタ３０１の固定の際に、ランプアダプタ３０１を回転させ、ランプ２９内の発光管が最適な位置になるように調整して固定する。この場合、ランプアダプタ３０１は、３６０度回転させることが可能である。
【００６２】
なお、ランプアダプタ３０１の小径部３０１ａに溝部３０５を形成しない場合には、ねじ３０９の端面で小径部３０１ａの外側面を押圧することで、中間アダプタ３０２にランプアダプタ３０１を固定することができる。
【００６３】
ソケット３０３は、一端が開口し、その開口部の内壁に、中間アダプタ３０２の口金部３０２ｂを螺合するねじ溝が形成されている。また、ソケット３０３の他端は、ソケット設置板３０４に固定されている。
【００６４】
ソケット設置板３０４は、例えば、Ｌ字状に折り曲げられた平板で構成され、折り曲げられた一方の側が、例えば照明器具の器具本体を形成する筐体などに固定され、他方の側には、ソケット３０３が固定される。
【００６５】
上記したように、第３の実施の形態の照明器具によれば、ランプ回転設置部３００を備え、中間アダプタ３０２をソケット３０３に装着後、中間アダプタ３０２にランプアダプタ３０１を回転させて、ランプ２９内の発光管が最適な位置になるように調整して固定することができる。これによって、ランプ２９の口金部の固定停止位置が異なる場合であっても、最適な配光を得ることができる。
【００６６】
（その他の実施の形態）
上記した実施の形態では、本発明に係る照明器具を、例えば、道路灯およびトンネル用照明灯として適用し、ランプ回転設置部を備えることで、ソケットまたはランプアダプタを回転させて、ランプ内の発光管が最適な位置になるように調整して固定することができる技術について説明した。しかしながら、本発明の上記した技術は、照明器具として用いられる以外にも、外管内に少なくとも２本の発光管を備えるランプを使用する分野において、ランプから最適な配光を得るための技術として利用可能であり、例えば、投光器などにも応用可能である。
【図面の簡単な説明】
【００６７】
【図１】本発明の第１の実施の形態の照明器具を適用した道路灯の断面図。
【図２】ランプ回転設置部の背面図。
【図３】ランプ回転設置部の側面図。
【図４】本発明の第１の実施の形態の照明器具を適用したトンネル用照明灯の正面図。
【図５】図４のＡ−Ａ断面図。
【図６】拡散管を備えたランプ構成を示す一部断面図。
【図７】２本の発光管の配置位置の一例を示す断面図。
【図８】本発明の第２の実施の形態の照明器具におけるランプ回転設置部の断面図。
【図９】本発明の第３の実施の形態の照明器具におけるランプ回転設置部の断面図。
【符号の説明】
【００６８】
２２…ランプ回転設置部、１００…ソケット、１０１…ソケット設置板、１０２…開口、１０３…ねじ。
【図１】
2006147307.tif 000004
【図２】
2006147307.tif 000005
【図３】
2006147307.tif 000006
【図４】
2006147307.tif 000007
【図５】
2006147307.tif 000008
【図６】
2006147307.tif 000009
【図７】
2006147307.tif 000010
【図８】
2006147307.tif 000011
【図９】
2006147307.tif 000012